(57)【要約】  【課題】    ユーザが携帯型再生装置を用いてコンテンツデータを再生する場合でも、ユーザの好みに応じたサービスをコンピュータが提供する。  【解決手段】  携帯型再生装置３が、充電台５と非接続状態でコンテンツデータを再生した再生履歴データＲＨＤを生成する。携帯型再生装置３が充電台５に装着されると、充電台５を介して、携帯型再生装置３からパーソナルコンピュータ７に再生履歴データＲＨＤが出力される。【選択図】  図１
2006228098.tif 000002
【特許請求の範囲】
【請求項１】
携帯型再生装置が、コンピュータと非接続状態で、当該携帯型再生装置によるコンテンツデータの再生履歴を示す再生履歴データを生成および記憶する第１の工程と、
前記携帯型再生装置と前記コンピュータとが接続状態で、前記第１の工程で前記携帯型再生装置が記憶した前記再生履歴データを前記携帯型再生装置から前記コンピュータに出力する第２の工程と、
前記コンピュータが、前記第２の工程で前記携帯型再生装置から入力した前記再生履歴データを基に、前記携帯型再生装置の再生履歴に応じたサービスデータを前記携帯型再生装置に出力するための処理を行う第３の工程と
を有するデータ処理方法。
【請求項２】
前記第３の工程において、
前記コンピュータは、前記再生履歴データを基に、前記携帯型再生装置のユーザの好みのアーティストに関する情報を前記サービスデータとして前記携帯型再生装置に出力する
請求項１に記載のデータ処理方法。
【請求項３】
前記第１の工程において、
前記携帯型再生装置は、当該携帯型再生装置が再生した前記コンテンツデータの属性を示す前記再生履歴データを前記生成し、
前記第３の工程において、
前記コンピュータは、前記第２の工程で入力した前記再生履歴データが示す前記属性データと一致した属性データが対応付けられたコンテンツデータを特定し、当該特定したコンテンツデータを前記サービスデータとして前記携帯型再生装置に出力する
請求項１に記載のデータ処理方法。
【請求項４】
前記第１の工程において、
前記携帯型再生装置は、前記再生したコンテンツデータの識別データを前記属性として示す前記再生履歴データを生成し、
前記第３の工程において、
前記コンピュータは、前記再生履歴データが示す前記識別データに対応したアーティストのコンテンツデータのうち、前記再生履歴データが示す前記識別データ以外の識別データが割り当てられたコンテンツデータに関する情報を前記サービスデータとして前記携帯型再生装置に出力するための処理を行う
請求項１に記載のデータ処理方法。
【請求項５】
前記第３の工程において、
前記コンピュータは、前記再生履歴データが示す前記識別データ以外の識別データが割り当てられたコンテンツデータの試聴データを生成し、当該試聴データを前記サービスデータとして前記携帯型再生装置に出力する
請求項４に記載のデータ処理方法。
【請求項６】
前記第１の工程において、
前記携帯型再生装置は、前記再生したコンテンツデータの識別データを前記属性として示す前記再生履歴データを生成し、
前記第３の工程において、
前記コンピュータは、前記再生履歴データが示す前記識別データに対応したアーティストが現在または過去に属したグループアーティストのコンテンツデータに関する情報を前記サービスデータとして前記携帯型再生装置に出力するための処理を行う
請求項１に記載のデータ処理方法。
【請求項７】
前記第１の工程において、
前記携帯型再生装置は、前記再生したコンテンツデータの識別データを前記属性として示す前記再生履歴データを生成し、
前記第３の工程において、
前記コンピュータは、前記再生履歴データが類似した他のユーザのコンピュータから当該他のユーザの前記再生履歴データを受信し、当該受信した再生履歴データが示す前記コンテンツデータの識別データのうち、前記第２の工程で入力した前記再生履歴データが示す前記識別データ以外の識別データを特定し、当該特定した識別データのコンテンツデータに関する情報を前記サービスデータとして前記携帯型再生装置に出力するための処理を行う
請求項１に記載のデータ処理方法。
【請求項８】
前記第１の工程において、前記携帯型再生装置は、当該携帯型再生装置に装着されたリムーバルな記録媒体の各々について、当該記録媒体に記録されている複数のコンテンツデータの前記再生履歴データを生成および記憶する
請求項１に記載のデータ処理方法。
【請求項９】
前記第１の工程において、前記携帯型再生装置は、当該携帯型再生装置への前記記録媒体の装着履歴をさらに示す前記再生履歴データを生成および記憶する
請求項８に記載のデータ処理方法。
【請求項１０】
コンテンツデータを再生する再生手段と、
前記再生手段による前記コンテンツデータの再生および再生キャンセルを指示する操作手段と、
コンピュータとの間でデータ入出力を行うインタフェースと、
メモリと、
前記操作手段からの指示に応じて、前記再生手段による前記コンテンツデータの再生を制御する制御回路と
を有する携帯型再生装置であって、
前記制御回路は、
前記インタフェースがコンピュータと非接続状態で、前記再生手段による前記コンテンツデータの再生履歴を示す再生履歴データを生成して前記メモリに書き込み、
前記インタフェースが前記コンピュータに接続されると、前記メモリから前記再生履歴データを読み出して前記インタフェースを介して前記コンピュータに出力する
携帯型再生装置。
【請求項１１】
前記再生手段は、記録媒体を着脱可能に装着し、当該装着した前記記録媒体から読み出した前記コンテンツデータを再生し、
前記制御回路は、前記当該携帯型再生装置に装着された前記記録媒体の各々について、当該記録媒体に記録されている複数のコンテンツデータの前記再生履歴データを生成して前記メモリに書き込む
請求項１０に記載の携帯型再生装置。
【請求項１２】
携帯型再生装置と接続されるインタフェースと、
制御回路と
を有し、
前記インタフェースは、前記携帯型再生装置が前記インタフェースと非接続状態で生成した当該携帯型再生装置におけるコンテンツデータの再生履歴データを、前記携帯型再生装置と接続状態で入力し、
前記制御回路は、前記インタフェースが入力した前記再生履歴データを基に、前記携帯型再生装置の再生履歴に応じたサービスデータを前記携帯型再生装置に出力する処理を行う
コンピュータ。
【発明の詳細な説明】
【技術分野】
【０００１】
本発明は、コンテンツデータに関係したサービスを提供するためのデータ処理方法、携帯型再生装置およびコンピュータに関する。
【背景技術】
【０００２】
例えば、パーソナルコンピュータのハードディスクに記憶された複数の楽曲データ（オーディオデータ）の再生履歴を管理し、その再生履歴を基に、ユーザの好みを判定するシステムがある。
このようなシステムでは、ユーザは、例えば、パーソナルコンピュータに携帯型再生装置を接続し、上記パーソナルコンテンツデータのハードディスクから読み出した楽曲データを携帯型再生装置に出力して記憶させる。
そして、ユーザは、携帯型再生装置に記憶されたコンテンツデータを外出中に再生する。
【特許文献１】特開２００２−３１２２１１号公報
【発明の開示】
【発明が解決しようとする課題】
【０００３】
しかしながら、上述した従来のシステムでは、ユーザは携帯型再生装置で楽曲データを再生することが多く、パーソナルコンピュータにおける再生履歴データのみを用いたのでは、ユーザの好みを正確に特定できず、ユーザの好みに応じたサービスを提供できないという問題がある。
【０００４】
本発明は上述した従来技術の問題点を解決するために、ユーザが携帯型再生装置を用いてコンテンツデータを再生する場合でも、ユーザの好みに応じたサービスをコンピュータが提供することを可能にするデータ処理方法、携帯型再生装置およびコンピュータを提供することを目的とする。
【課題を解決するための手段】
【０００５】
上述した従来技術の問題点を解決し、上述した目的を達成するため、第１の観点の発明のデータ処理方法は、携帯型再生装置が、コンピュータと非接続状態で、当該携帯型再生装置によるコンテンツデータの再生履歴を示す再生履歴データを生成および記憶する第１の工程と、前記携帯型再生装置と前記コンピュータとが接続状態で、前記第１の工程で前記携帯型再生装置が記憶した前記再生履歴データを前記携帯型再生装置から前記コンピュータに出力する第２の工程と、前記コンピュータが、前記第２の工程で前記携帯型再生装置から入力した前記再生履歴データを基に、前記携帯型再生装置の再生履歴に応じたサービスデータを前記携帯型再生装置に出力するための処理を行う第３の工程とを有する。
【０００６】
第２の観点の発明の携帯型再生装置は、コンテンツデータを再生する再生手段と、前記再生手段による前記コンテンツデータの再生および再生キャンセルを指示する操作手段と、コンピュータとの間でデータ入出力を行うインタフェースと、メモリと、前記操作手段からの指示に応じて、前記再生手段による前記コンテンツデータの再生を制御する制御回路とを有する携帯型再生装置であって、前記制御回路は、前記インタフェースがコンピュータと非接続状態で、前記再生手段による前記コンテンツデータの再生履歴を示す再生履歴データを生成して前記メモリに書き込み、前記インタフェースが前記コンピュータに接続されると、前記メモリから前記再生履歴データを読み出して前記インタフェースを介して前記コンピュータに出力する。
【０００７】
第２の観点の発明の携帯型再生装置の作用は以下のようになる。
制御回路が、インタフェースがコンピュータと非接続状態で、再生手段によるコンテンツデータの再生履歴を示す再生履歴データを生成して前記メモリに書き込む。
そして、前記制御回路は、前記インタフェースが前記コンピュータに接続されると、前記メモリから前記再生履歴データを読み出して前記インタフェースを介して前記コンピュータに出力する。
【０００８】
第３の観点の発明のコンピュータは、携帯型再生装置と接続されるインタフェースと、制御回路とを有し、 前記インタフェースは、前記携帯型再生装置が前記インタフェースと非接続状態で生成した当該携帯型再生装置におけるコンテンツデータの再生履歴データを、前記携帯型再生装置と接続状態で入力し、前記制御回路は、前記インタフェースが入力した前記再生履歴データを基に、前記携帯型再生装置の再生履歴に応じたサービスデータを前記携帯型再生装置に出力する処理を行う。
【０００９】
第３の観点の発明のコンピュータの作用は以下のようになる。
インタフェースが、携帯型再生装置がインタフェースと非接続状態で生成した当該携帯型再生装置におけるコンテンツデータの再生履歴データを、前記携帯型再生装置と接続状態で入力する。
そして、制御回路は、前記インタフェースが入力した前記再生履歴データを基に、前記携帯型再生装置の再生履歴に応じたサービスデータを前記携帯型再生装置に出力する処理を行を行う。
【発明の効果】
【００１０】
本発明によれば、ユーザが携帯型再生装置を用いてコンテンツデータを再生する場合でも、ユーザの好みに応じたサービスをコンピュータが提供することを可能にするデータ処理方法、携帯型再生装置およびコンピュータを提供することができる。
【発明を実施するための最良の形態】
【００１１】
以下、本発明の実施形態に係わるオーディオ処理システムについて説明する。
＜第１実施形態＞
先ず、本実施形態の構成と本発明の構成との対応関係を説明する。
図１等に示す携帯型再生装置３が本発明の携帯型再生装置に対応し、パーソナルコンピュータ７が本発明のコンピュータに対応している。
また、本実施形態のオーディオの楽曲データが、本発明のコンテンツデータに対応している。
また、本実施形態の再生履歴データＲＨＤが、本発明の再生履歴データに対応している。
図４、並びに図６のステップＳＴ２１が、第１の観点の発明の第１の工程に対応している。
図６に示すステップＳＴ２２，ＳＴ２３が、第１の観点の発明の第２の工程に対応している。
図６に示すステップＳＴ２６が、第１の観点の発明の第３の工程に対応している。
【００１２】
また、図２に示す再生系２２が第２の観点の発明の再生手段に対応し、操作部２１が操作手段に対応し、インタフェース２４がインタフェースに対応し、メモリ２７がメモリに対応し、制御回路２８が制御回路に対応している。
また、図７に示す充電器インタフェース４４が第３の観点の発明のインタフェースに対応し、ＣＰＵ４６が制御回路に対応している。
【００１３】
図１は、本発明の第１実施形態に係わるオーディオ処理システム１の全体構成図である。
図１に示すように、オーディオ処理システム１は、例えば、携帯型再生装置３、充電台５、パーソナルコンピュータ７、サーバ９および携帯電話１１を有する。
［携帯型再生装置３］
図２は、図１に示す携帯型再生装置３の構成図である。
図２に示すように、携帯型再生装置３は、例えば、操作部２１、再生系２２、出力系２３、インタフェース２４、充電式電池２５、ディスプレイ２６、メモリ２７および制御回路２８を有する。
【００１４】
操作部２１は、例えば、操作ボタンであり、ユーザの操作に応じた操作信号を制御回路２８に出力する。操作部２１は、例えば、再生、停止、スキップ、逆スキップなどのオーディオデータの再生操作に関する操作ボタンを有している。
再生系２２は、例えば、記録ディスクＤＩＳＫを着脱可能に装着し、記録ディスクＤＩＳＫから再生したオーディオ信号を出力系２３に出力する。
再生系２２は、例えば、記録ディスクＤＩＳＫを１枚ずつ装着する。なお、再生系２２は、複数枚の記録ディスクＤＩＳＫを同時に装着してもよい。
出力系２３は、例えば、再生系２２から入力したオーディオ信号に応じたオーディオ出力を行うヘッドフォンなどである。
【００１５】
インタフェース２４は、携帯型再生装置３が図１に示す充電台５に装着された状態で、充電台５を介して図１に示すパーソナルコンピュータ７とデータ入出力を行う。
充電式電池２５は、オーディオ処理システム１の各構成要素に電力を供給する。
また、充電式電池２５は、携帯型再生装置３が図１に示す充電台５に装着された状態で、充電台５によって充電される。
携帯型再生装置３が充電式電池２５に装着されることで、携帯型再生装置３とパーソナルコンピュータ７とが接続状態になる。
ディスプレイ２６は、制御回路２８から入力した画像信号に応じた画面を表示する。
【００１６】
メモリ２７は、制御回路２８が実行するプログラムＰＲＧ１、制御回路２８の処理に用いられる再生履歴データＲＨＤなどのデータを記憶する。
メモリ２７は、ＥＥＰＲＯＭなどの不揮発性メモリである。
図３は、メモリ２７に記憶されている再生履歴データＲＨＤを説明するための図である。
図３に示すように、再生履歴データＲＨＤは、例えば、最大１０個のリストデータＬＩＳＴｘを記憶する。
リストデータＬＩＳＴｘは、それぞれ再生系２２に装着された記録ディスクＤＩＳＫの識別データＤ＿ＩＤに対応して規定されている。
各リストデータＬＩＳＴｘは、それに対応した記録ディスクＤＩＳＫが再生系２２に装着されているときに、その記録ディスクＤＩＳＫに記録された楽曲データ（オーディオデータ、図中Ｆｉｌｅ）が再生された回数を、楽曲データ毎に示している。
本実施形態では、図３に示す再生履歴データＲＨＤを用いることで、制御回路２８は、記録ディスクＤＩＳＫの装着時に特定したリストデータＬＩＳＴｘ内でのみ、再生された楽曲データ（楽曲データの識別データ）に対応した項目（カウント値をインクリメントする項目）を検索すればよく、処理負担が小さい。
制御回路２８は、メモリ２７から読み出したプログラムＰＲＧ１を実行して携帯型再生装置３の動作を統括的に制御する。
【００１７】
図４は、オーディオ処理システム１において、再生履歴データＲＨＤを生成する処理を説明するためのフローチャートである。
ステップＳＴ１１：
制御回路２８は、再生系２２に記録ディスクＤＩＳＫが装着されたか否かを判断し、記録ディスクＤＩＳＫが装着されたと判断したことを条件にステップＳＴ１２に進む。
ステップＳＴ１２：
制御回路２８は、再生系２２を介して記録ディスクＤＩＳＫから、その識別データＤ＿ＩＤを読み出す。
ステップＳＴ１３：
制御回路２８は、図２に示すメモリ２７に記憶されている再生履歴データＲＨＤ内にステップＳＴ１２で読み出した識別データＤ＿ＩＤに対応したリストデータＬＩＳＴｘが存在するか否かを判断し、存在すると判断した場合にステップＳＴ１４に進み、存在しないと判断した場合にステップＳＴ１５に進む。
【００１８】
ステップＳＴ１４：
制御回路２８は、再生履歴データ内のステップＳＴ１２の識別データＤ＿ＩＤに対応したリストデータＬＩＳＴｘを更新対象とする。
以後、制御回路２８は、操作部２１からの操作に応じて、記録ディスクＤＩＳＫに記憶された楽曲データが再生される度に、ステップＳＴ１４で更新対象としたリストデータＬＩＳＴｘ内の当該楽曲データに対応した再生回数（ｐｔ）をインクリメントする。
なお、リストデータＬＩＳＴｘは、例えば、図５に示すように、それが対象とする記録ディスクＤＩＳＫ内の再生回数が大きいものから４０曲分の再生回数を示す。従って、新たな楽曲データが上位４０曲内に入った場合に、再生回数が最小の楽曲データの再生回数を消去して、当該新たな楽曲データの再生回数を追加する。
なお、複数の楽曲データの再生回数が同一である場合には、再生順が新しいものを上位とする。
また、制御回路２８が再生したとカウントする条件は、例えば、１曲の再生時間の半分以上再生された場合、あるいは、楽曲の早送りあるいは巻き戻し操作後に１分間以上再生された場合とする。
また、制御回路２８は、例えば、楽曲データの再生回数の他に、記録ディスクＤＩＳＫの装着回数を、記録ディスクＤＩＳＫの識別データＤ＿ＩＤを用いて管理し、その結果をパーソナルコンピュータ７に出力してもよい。この場合に、パーソナルコンピュータ７は、当該記録ディスクＤＩＳＫの装着回数をも参照して、ユーザの好み（例えば、好みのアーティスト）を特定する処理を行う。
【００１９】
ステップＳＴ１５：
制御回路２８は、再生履歴データＲＨＤが既に最大数のリストデータＬＩＳＴｘを有している場合には、最後に更新したリストデータＬＩＳＴｘを消去して、ステップＳＴ１２で読み出した識別データＤ＿ＩＤに対応したリストデータＬＩＳＴｘを追加する。
ステップＳＴ１６：
制御回路２８は、再生履歴データ内のステップＳＴ１５で追加したリストデータＬＩＳＴｘを更新対象とする。
【００２０】
［パーソナルコンピュータ７］
図６は、図１に示すパーソナルコンピュータ７の構成図である。
図６に示すように、パーソナルコンピュータ７は、例えば、ネットワークインタフェース４１、ディスプレイ４２、操作部４３、充電器インタフェース４４、メモリ４５およびＣＰＵ４６を有し、これらがデータ線４０を介して接続されている。
ネットワークインタフェース４１は、図１に示すネットワーク８を介してサーバ９とデータ送受信を行う。
充電器インタフェース４４は、図１に示す充電台５と接続し、携帯型再生装置３が充電台５に装着された状態で、充電台５を介して携帯型再生装置３とデータ入出力を行う。
メモリ４５は、ＣＰＵ４６の処理を規定するプログラム、並びにデータを記憶する。
ＣＰＵ４６は、充電器インタフェース４４を介して携帯型再生装置３から入力した再生履歴データＲＨＤを基に、携帯型再生装置３のユーザの好みに応じたサービスデータＲＤをサーバ９から受信し、これを携帯型再生装置３に出力する。
【００２１】
［全体動作例］
以下、図１に示すオーディオ処理システム１の再生履歴データＲＨＤを利用する際の全体動作例を説明する。
図７は、図１に示すオーディオ処理システム１の再生履歴データＲＨＤを利用する際の全体動作例を説明するためのフローチャートである。
ステップＳＴ２１： 
携帯型再生装置３が、図４を用いて説明したように再生履歴データＲＨＤを生成する。
ステップＳＴ２２：
携帯型再生装置３およびパーソナルコンピュータ７は、充電台５に携帯型再生装置３が装着されたか否かを判断し、装着されたと判断するとステップＳＴ２３に進み、そうでない場合にはステップＳＴ２１の処理を繰り返す。
【００２２】
ステップＳＴ２３：
図２に示す携帯型再生装置３のインタフェース２４から、図６に示すパーソナルコンピュータ７の充電器インタフェース４４に、携帯型再生装置３のメモリ２７に記憶されている再生履歴データＲＨＤを出力する。
パーソナルコンピュータ７は、当該入力した再生履歴データをメモリ４５に書き込む。
ステップＳＴ２４：
図６に示すパーソナルコンピュータ７のＣＰＵ４６は、ステップＳＴ２３で入力した再生履歴データＲＨＤを基に、携帯型再生装置３のユーザの好みのアーティストを特定する。
具体的には、ＣＰＵ４６は、再生履歴データＲＨＤを基に、携帯型再生装置３において楽曲データの再生回数が最も多いアーティストを特定する。
なお、ＣＰＵ４６は、本実施形態では、ＣＰＵ４６において上記お好みのアーティストを特定する場合を例示するが、携帯型再生装置３の制御回路２８が、再生履歴データＲＨＤを基に、ユーザのお好みのアーティストを特定する処理を行い、その結果をパーソナルコンピュータ７に出力してもよい。
【００２３】
ステップＳＴ２５：
図６に示すパーソナルコンピュータ７のＣＰＵ４６は、ネットワークインタフェース４１から、図１に示すネットワーク８を介してサーバ９にアクセスを行い、ステップＳＴ２４で特定した好みのアーティストのアーティスト関連情報等のサービスデータＲＤをサーバ９から受信する。
ステップＳＴ２６：
パーソナルコンピュータ７のＣＰＵ４６は、充電器インタフェース４４から、充電台５を介して携帯型再生装置３に、ステップＳＴ２５で受信したサービスデータＲＤを出力する。
そして、携帯型再生装置３は、当該入力したサービスデータＲＤをディスプレイ２６に表示する。
なお、図１に示すように、サーバ９が、上記サービスデータＲＤを、ネットワーク８等を介してユーザの携帯電話１１に送信してもよい。
【００２４】
本実施形態において、上述したサービスデータＲＤが示すアーティスト関連情報は、例えば、アーティストからのコメント情報、コンサート情報、新着楽曲情報、お勧め楽曲情報などである。
【００２５】
以上説明したように、オーディオ処理システム１によれば、携帯型再生装置３の再生履歴データＲＨＤをパーソナルコンピュータ７に出力する。これにより、パーソナルコンピュータ７は、ユーザによる携帯型再生装置３の再生履歴を基に、当該ユーザの好みを正確に反映したサービスを提供できる。
また、オーディオ処理システム１によれば、再生履歴データＲＨＤを構成するリストデータＬＩＳＴｘを、それぞれ再生系２２に装着された記録ディスクＤＩＳＫの識別データＤ＿ＩＤに対応して規定している。
これにより、携帯型再生装置３の制御回路２８は、記録ディスクＤＩＳＫの装着時に特定したリストデータＬＩＳＴｘ内でのみ、再生された楽曲データ（楽曲データの識別データ）に対応した項目（カウント値をインクリメントする項目）を検索すればよく、処理負担が小さくできる。
【００２６】
＜第２実施形態＞
本実施形態は、図１に示すパーソナルコンピュータ７Ａに特徴を有し、それ以外の動作は基本的に第１実施形態のオーディオ処理システム１と同じである。
［第１の例］
図８は、本発明の第２実施形態の第１の例を説明するための図である。
図６に示すパーソナルコンピュータ７ＡのＣＰＵ４６は、第１実施形態で説明したように携帯型再生装置３から入力した再生履歴データＲＨＤを基に、図８に示すように、当該ユーザが保持する記録ディスクＤＩＳＫの一覧を示すジュークボックスデータＪＢＤを更新する。
ジュークボックスデータＪＢＤは、パーソナルコンピュータ７Ａあるいは携帯型再生装置３で再生された記録ディスクＤＩＳＫの識別データの一覧を示している。
次に、ＣＰＵ４６は、ジュークボックスデータＪＢＤ内に示される記録ディスクＤＩＳＫの識別データを基に、記録ディスクＤＩＳＫに関係するアーティストの一覧を、記録ディスクＤＩＳＫの枚数が多い順に特定する。
次に、ＣＰＵ４６は、図６に示すネットワークインタフェース４１を介して、上記枚数が多い方から所定数のアーティストを示す問い合わせデータＲＥＱを図１に示すサーバ９に送信する。
サーバ９は、上記問い合わせデータＲＥＱが示すアーティストが現在リリースしている全ての記録ディスクＤＩＳＫ（アルバム）の識別データを示す一覧データＡをパーソナルコンピュータ７Ａに送信する。
パーソナルコンピュータ７ＡのＣＰＵ４６は、上記一覧データＡとジュークボックスデータＪＢＤとを比較し、一覧データＡ内の識別データのうち、ジュークボックスデータＪＢＤに存在しない識別データを特定する。
そして、ＣＰＵ４６は、当該特定した識別データの記録ディスクＤＩＳＫ（アルバム）に関する情報ａを、サービスデータＲＤとして、図６に示す充電器インタフェース４４を介して、携帯型再生装置３に出力する。
携帯型再生装置３の制御回路２８は、当該情報ａを図２に示すディスプレイ２６に表示する。
これにより、ユーザは、自らの好みのアーティストのアルバムのうち、自らが所有していないものを知ることができる。
なお、パーソナルコンピュータ７ＡのＣＰＵ４６は、上記情報を、ユーザの携帯電話１１に送信してもよい。
また、携帯型再生装置３のユーザが、情報ａを基に記録ディスクＤＩＳＫを購入した場合に、オーディオ処理システム１の運営業者がマージンを取得してもよい。
【００２７】
［第２の例］
図９は、本発明の第２実施形態の第２の例を説明するための図である。
図６に示すパーソナルコンピュータ７ＡのＣＰＵ４６は、第１実施形態で説明したように携帯型再生装置３から入力した再生履歴データＲＨＤを基に、図８に示すように、当該ユーザが保持する記録ディスクＤＩＳＫの一覧を示すジュークボックスデータＪＢＤを更新する。
次に、ＣＰＵ４６は、ジュークボックスデータＪＢＤ内に示される記録ディスクＤＩＳＫの識別データを基に、記録ディスクＤＩＳＫに関係するアーティストの一覧を、記録ディスクＤＩＳＫの枚数が多い順に特定する。
次に、ＣＰＵ４６は、図６に示すネットワークインタフェース４１を介して、上記枚数が多い方から所定数のアーティストを示す問い合わせデータＲＥＱを図１に示すサーバ９に送信する。
サーバ９は、上記問い合わせデータＲＥＱに含まれるアーティストに関連する記録ディスクＤＩＳＫ（アルバム）の識別データを示す一覧データＢをパーソナルコンピュータ７に送信する。
例えば、サーバ９は、当該アーティストが現在または過去に属しているグループの記録ディスクＤＩＳＫの識別データの一覧）の現在リリースしている全ての記録ディスクＤＩＳＫ（アルバム）の識別データを示す一覧データＢをパーソナルコンピュータ７Ａに送信する。
パーソナルコンピュータ７ＡのＣＰＵ４６は、上記一覧データＢとジュークボックスデータＪＢＤとを比較し、一覧データＢ内の識別データのうち、ジュークボックスデータＪＢＤに存在しない識別データを特定する。
そして、ＣＰＵ４６は、当該特定した識別データの記録ディスクＤＩＳＫ（アルバム）に関する情報ｂをサービスデータＲＤとして、図６に示す充電器インタフェース４４を介して、携帯型再生装置３に出力する。
携帯型再生装置３の制御回路２８は、当該情報ｂを図２に示すディスプレイ２６に表示する。
これにより、ユーザは、自らの好みのアーティストに関連するアルバムのうち、自らが所有していないものを知ることができる。
なお、パーソナルコンピュータ７ＡのＣＰＵ４６は、上記情報を、ユーザの携帯電話１１に送信してもよい。
【００２８】
［第３の例］
図１０は、本発明の第２実施形態の第３の例を説明するための図である。
図６に示すパーソナルコンピュータ７ＡのＣＰＵ４６は、第１実施形態で説明したように携帯型再生装置３から入力した再生履歴データＲＨＤを基に、図８に示すように、当該ユーザが保持する記録ディスクＤＩＳＫの一覧を示すジュークボックスデータＪＢＤを更新する。
次に、ＣＰＵ４６は、ジュークボックスデータＪＢＤを含む問い合わせデータを、他の複数のユーザのコンピュータ（図示せず）に送信する。
そして、当該他の複数のユーザのコンピュータのうち、パーソナルコンピュータ７Ａが保持するジュークボックスデータＪＢＤと類似度が高い（一致する記録ディスクＤＩＳＫの識別データの数が所定数以上）のジュークボックスデータＪＢＤを保持するコンピュータが、当該コンピュータが保持するジュークボックスデータＪＢＤをパーソナルコンピュータ７Ａに送信する。
パーソナルコンピュータ７ＡのＣＰＵ４６は、他のコンピュータから受信したジュークボックスデータＪＢＤと、自らが保持するジュークボックスデータＪＢＤとを比較し、他のコンテンツデータから受信したジュークボックスデータＪＢＤ内の識別データのうち、自らが保持するジュークボックスデータＪＢＤに存在しない識別データを特定する。
そして、ＣＰＵ４６は、当該特定した識別データの記録ディスクＤＩＳＫ（アルバム）に関する情報ｃをサービスデータＲＤとして、図６に示す充電器インタフェース４４を介して、携帯型再生装置３に出力する。
携帯型再生装置３の制御回路２８は、当該情報ｃを図２に示すディスプレイ２６に表示する。
これにより、ユーザは、自らの好みのアーティストに関連するアルバムのうち、自らが所有していないものを知ることができる。
なお、パーソナルコンピュータ７ＡのＣＰＵ４６は、上記情報を、ユーザの携帯電話１１に送信してもよい。
【００２９】
［第４の例］
図８〜図１０を用いて説明した上述した第１、第２および第３の例では、パーソナルコンピュータ７ＡのＣＰＵ４６から携帯型再生装置３に、サービスデータＲＤとして情報ａ，ｂ，ｃを出力する場合を例示したが、図１１に示すように、ＣＰＵ４６は、携帯型再生装置３のユーザに推薦する楽曲データの試聴用楽曲データを記録した試聴ディスクＴＤを、操作部２１からの１クリック操作に応じて生成してもよい。
これにより、ユーザは、図２に示す携帯型再生装置３の再生系２２に試聴ディスクＴＤを装着して、当該ユーザの好みに合った試聴楽曲データを再生し、それを購入するか否かを決定できる。
試聴ディスクＴＤは、例えば、所定回数（例えば、３回）以下のみ、試聴用楽曲データを再生できるようにする制御信号が記録されている。
また、ユーザは、携帯型再生装置３に備えられたブックマーク機能を利用して、試聴ディスクＴＤ内の購入を希望する楽曲データにブックマークを付けることができる。
パーソナルコンピュータ７ＡのＣＰＵ４６は、携帯型再生装置３が充電台５に装着されたときに、上記ブックマークを自動的に読み取り、これをディスプレイ２６に自動的に表示し、ユーザによる当該楽曲データの購入を補助する処理を行ってもよい。
また、ＣＰＵ４６は、試聴ディスクＴＤを生成するのではなく、試聴用楽曲データを携帯型再生装置３に出力してもよい。
【００３０】
以上説明したように、本発明の第２実施形態によれば、携帯型再生装置３が生成した再生履歴データＲＨＤを基に、パーソナルコンピュータ７Ａおよびサーバ９が連携して、携帯型再生装置３のユーザの好みに応じたサービスデータを提供できる。
【００３１】
本発明は上述した実施形態には限定されない。
上述した実施形態では、本発明のコンテンツデータとして楽曲データを例示したが、本発明のコンテンツデータは映像データであってもよい。
【産業上の利用可能性】
【００３２】
本発明は、コンテンツデータに関係したサービスを提供するためのデータ処理システムに適用可能である。
【図面の簡単な説明】
【００３３】
【図１】図１は、本発明の第１実施形態のオーディオ処理システム１の全体構成図である。
【図２】図２は、図１に示す携帯型再生装置の構成図である。
【図３】図３は、本発明の実施形態の再生履歴データを説明するための図である。
【図４】図４は、図１に示すオーディオ処理システムにおいて、再生履歴データを生成する処理を説明するためのフローチャートである。
【図５】図５は、本発明の実施形態の再生履歴データを説明するための図である。
【図６】図６は、図１に示すパーソナルコンピュータの構成図である。
【図７】図７は、図１に示すオーディオ処理システムの再生履歴データを利用する際の全体動作例を説明するためのフローチャートである。
【図８】図８は、本発明の第２実施形態の第１の例を説明するための図である。
【図９】図９は、本発明の第２実施形態の第２の例を説明するための図である。
【図１０】図１０は、本発明の第２実施形態の第３の例を説明するための図である。
【図１１】図１１は、本発明の第２実施形態の第４の例を説明するための図である。
【符号の説明】
【００３４】
１…オーディオ処理システム、３…携帯型再生装置、５…充電台、７，７Ａ…パーソナルコンピュータ、９…サーバ、１１…携帯電話、２１…操作部、２２…再生系、２３…出力系、２４…インタフェース、２５…充電式電池、２６…ディスプレイ、２７…メモリ、２８…制御回路、４１…ネットワークインタフェース、４２…ディスプレイ、４３…操作部、４４…充電器インタフェース、４５…メモリ、４６…ＣＰＵ、ＲＨＤ…再生履歴データ、ＲＤ…サービスデータ
【図１】
2006228098.tif 000003
【図２】
2006228098.tif 000004
【図３】
2006228098.tif 000005
【図４】
2006228098.tif 000006
【図５】
2006228098.tif 000007
【図６】
2006228098.tif 000008
【図７】
2006228098.tif 000009
【図８】
2006228098.tif 000010
【図９】
2006228098.tif 000011
【図１０】
2006228098.tif 000012
【図１１】
2006228098.tif 000013